(57)【要約】  【課題】  電波時計が感度よく電波を受信することができ、その結果、インターホン親機が日時情報を自動調整することができるインターホンシステムを提供すること。  【解決手段】  住戸内に配置されたインターホン親機と戸外に配置されたインターホン子機とを少なくとも備えたインターホンシステムにおいて、前記インターホン子機は、標準日時情報を受信する電波時計部を備え、前記電波時計部によって受信した標準日時情報を前記インターホン親機に送出し、前記インターホン親機は、内部時計部と、前記内部時計部が計時する日時情報を前記インターホン子機から受信した標準日時情報に自動調整する自動調整手段とを備えた。  【選択図】  図１
2006287333.tif 000002
【特許請求の範囲】
【請求項１】
住戸内に配置されたインターホン親機と戸外に配置されたインターホン子機とを少なくとも備えたインターホンシステムにおいて、
前記インターホン子機は、標準日時情報を受信する電波時計部を備え、前記電波時計部によって受信した標準日時情報を前記インターホン親機に送出し、
前記インターホン親機は、内部時計部と、前記内部時計部が計時する日時情報を前記インターホン子機から受信した標準日時情報に自動調整する自動調整手段とを備えたことを特徴とするインターホンシステム。
【請求項２】
前記インターホン子機は、前記インターホン親機がインターホン子機からの呼出信号を受けたときに電源を供給する映像線上に前記電波時計部を設け、前記電波時計部に電源が供給されたときに、前記電波時計部によって受信した標準日時情報を前記映像線を介して前記インターホン親機に送出することを特徴とする請求項１記載のインターホンシステム。
【発明の詳細な説明】
【技術分野】
【０００１】
本発明は、インターホンシステムに関する。
【背景技術】
【０００２】
特許文献１には、インターホンシステムが示されている。このインターホンシステムは、住戸内に設けられたインターホン親機にカレンダークロックを設け、キー入力によってカレンダークロックが計時する日時情報の調整を行っている。（例えば、特許文献１参照）。
【特許文献１】特開平５−１７４２８０号公報
【発明の開示】
【発明が解決しようとする課題】
【０００３】
近年、手動で調整を行うカレンダークロックなどに代わり、電波時計等の自動調整を行えるものが普及してきており、これをインターホンシステムに用いれば、日時情報の調整作業を省略することが可能である。しかし、インターホン親機は住戸内に設けられているため、電波の入力が弱く、感度よく電波を受信できるとは限らなかった。そのため、インターホン親機に電波時計を採用して、日時情報を自動調整することが困難であった。
【０００４】
本発明は、上記課題を解決するためになされたもので、電波時計が感度よく電波を受信することができ、その結果、インターホン親機が日時情報を自動調整することができるインターホンシステムを提供することを目的とする。
【課題を解決するための手段】
【０００５】
本発明は、住戸内に配置されたインターホン親機と戸外に配置されたインターホン子機とを少なくとも備えたインターホンシステムにおいて、前記インターホン子機は、標準日時情報を受信する電波時計部を備え、前記電波時計部によって受信した標準日時情報を前記インターホン親機に送出し、前記インターホン親機は、内部時計部と、前記内部時計部が計時する日時情報を前記インターホン子機から受信した標準日時情報に自動調整する自動調整手段とを備えたことを特徴とする。
【０００６】
また、前記インターホン子機は、前記インターホン親機がインターホン子機からの呼出信号を受けたときに電源を供給する映像線上に前記電波時計部を設け、前記電波時計部に電源が供給されたときに、前記電波時計部によって受信した標準日時情報を前記映像線を介して前記インターホン親機に送出することを特徴とする。
【発明の効果】
【０００７】
本発明は、住戸の玄関等の戸外に配置されたインターホン子機に、標準日時情報を受信する電波時計部を備えたので、住戸内と比較して電波の受信環境がよく、電波時計部が感度よく電波を受信することができる。そして、インターホン子機は、電波時計部によって受信した標準日時情報を、住戸内に配置されたインターホン親機に送出し、インターホン親機は、内部時計部と、内部時計部が計時する日時情報をインターホン子機から受信した標準日時情報に自動調整する自動調整手段とを備えたので、インターホン親機は、内部時計部が計時する日時情報を標準日時情報に自動調整することができる。
【０００８】
また本発明は、インターホン子機は、インターホン親機との間で映像情報の送受を行う映像線上に電波時計部を設け、電波時計部によって受信した標準日時情報を映像線を介してインターホン親機に送出するので、インターホン親機との間で標準日時情報の送受を行うための専用線を配設する必要がない。
【０００９】
また、インターホン子機からの呼出信号を受けたときに、インターホン親機が映像線上に電源を供給することで、インターホン子機は、電波時計部に電源が供給され、そのときに、電波時計部によって受信した標準日時情報を映像線を介してインターホン親機に送出するので、インターホン親機とインターホン子機との間で標準日時情報の送受を定期的に行うようにしなくても、適度な周期で、インターホン親機の日時情報を標準日時情報に自動調整することができ、また、電波時計部に常時電源を供給しないので、消費電流を低減することが可能である。
【発明を実施するための最良の形態】
【００１０】
図１は、本発明の一実施例である戸建向けインターホンシステムの構成を示すブロック図である。
【００１１】
図１において、１０は住戸内に配置されたインターホン親機、５０は住戸の玄関等の戸外に配置されたインターホン子機であり、インターホン親機１０とインターホン子機５０とは音声線Ｌ１、映像線Ｌ２を介して接続されている。
【００１２】
インターホン子機５０において、５１は呼出ボタン、５２は呼出回路、５３はマイクとスピーカ（図示せず）を有する通話回路であり、これら部材５１、５２、５３は音声線Ｌ１に接続されている。また、Ｕ１は電波時計ユニット、Ｕ２は撮像ユニットであり、これらユニットＵ１、Ｕ２は映像線Ｌ２に接続されている。
【００１３】
電波時計ユニットＵ１は、標準日時情報を受信する電波時計部５４と、電波時計ユニット全体を制御する制御部５５と、伝送送信部５６と、バンドパスフィルタ５７によって構成され、受信した標準日時情報を映像線Ｌ２上に送出する。電波時計部５４は、福島県、福岡県、佐賀県などの送信所からの標準電波を受信して標準日時情報を受信できるため、１億分の１秒の精度で常に標準日時情報を得ることができる。そして、インターホン子機５０は住戸の玄関等の戸外に配置されているため、住戸内に比較して標準電波の受信環境が良好である。
【００１４】
撮像ユニットＵ２は、インターホン親機１０から供給される電源を受給して、電波時計ユニットＵ１及び撮像ユニットＵ２に電源を供給する内部電源回路５８と、ローパスフィルタ５９と、ＣＣＤセンサ６０と、ＣＣＤセンサ６０によって撮像された映像情報を変調する変調回路６１と、ハイパスフィルタ６２とによって構成され、撮像された映像情報を映像線Ｌ２上に送出する。
【００１５】
つぎに、インターホン親機１０において、１１は切替回路、１２はマイクとスピーカ（図示せず）を有する通話回路、１３は呼出検出回路であり、切替回路１１は、一端が音声線Ｌ１に接続され、他端が通話回路１２又は呼出検出回路１３に選択的に切換接続される接点を有し、接点の他端は、常時は呼出検出回路１３に接続されている。
【００１６】
１４は通話ボタン等の各種ボタン（図示せず）を有する操作部、１５は日時情報を計時する内部時計部、１６はインターホン親機全体を制御する制御部、１７はバンドパスフィルタ、１８は伝送受信部、１９はローパスフィルタ、２０はインターホン子機５０からの呼出信号を受けたときに映像線Ｌ２上に電源を供給する電源供給回路、２１はハイパスフィルタ、２２は変調された映像情報を復調する復調回路、２３は表示部、２４は録画ユニットである。
【００１７】
なお、映像線Ｌ２上には、電波時計ユニットＵ１から送出される標準日時情報、インターホン親機１０から供給される電源成分、撮像ユニットＵ２から送出される映像情報が送受されるが、インターホン親機１０におけるバンドパスフィルタ１７、ローパスフィルタ１９、ハイパスフィルタ２１、及びインターホン子機５０におけるバンドパスフィルタ５７、ローパスフィルタ５９、ハイパスフィルタ６２によって、それぞれ異なる周波数帯の成分として、区別して送受することができるようになっている。
【００１８】
つぎに、本実施例の動作について説明する。まず、インターホン子機５０において、来訪者が呼出ボタン５１をオン操作すると、その操作を呼出回路５２が検出し、呼出信号を音声線Ｌ１上に出力する。すると、インターホン親機１０は、呼出検出回路１３が呼出信号を検出して、制御部１６に呼出入力を行う。その呼出入力によって、制御部１６は、内部音響（図示せず）から呼出音を鳴動させる。住居人によって操作部１４の通話ボタン（図示せず）がオン操作されれば、制御部１６は、切替回路１１における接点の他端を通話回路１２側に切換接続するので、音声線Ｌ１を介して、インターホン親機１０の通話回路１２とインターホン子機５０の通話回路５３とによるインターホン通話が可能となる。
【００１９】
また、制御部１６は呼出入力によって、電源供給回路２０を起動させて映像線Ｌ２上に電源を供給する。これにより、インターホン子機５０は、内部電源回路５８がインターホン親機１０からの電源を受給し、電波時計ユニットＵ１及び撮像ユニットＵ２に電源を供給するので、電波時計ユニットＵ１及び撮像ユニットＵ２が起動する。
【００２０】
このとき、電波時計ユニットＵ１においては、電波時計部５４が標準日時情報を受信し、制御部５５によって、その標準日時情報が伝送信号部５６、バンドパスフィルタ５７を介して、映像線Ｌ２上に送出される。また、映像ユニットＵ２においては、ＣＣＤセンサ６０によって来訪者が撮像され、その映像情報が変調回路６１で変調されて、ハイパスフィルタ６２を介して、映像線Ｌ２上に送出される。
【００２１】
インターホン親機１０においては、インターホン子機５０からの標準日時情報がバンドパスフィルタ１７、伝送受信部１８を介して制御部１６に入力される。また、インターホン子機５０からの映像情報がハイパスフィルタ２１、復調回路２２を介して制御部１６に入力される。そして、制御部１６は、内部時計部１５が計時する日時情報を、受信した標準日時情報に自動調整する。また、制御部１６は、受信した映像情報の最初の数フレーム分と、受信した標準日時情報とを関連付けて録画ユニット２４に記録する。なお、受信した映像情報は表示部２３にも表示されるので、住居人は、来訪者の映像を見ながら、インターホン通話を行うことが可能となる。
【００２２】
なお、通話終了に伴い操作部１４の通話ボタン（図示せず）がオフ操作された場合や、制御部１６が呼出入力を検出後も操作部１４の通話ボタン（図示せず）がオン操作されずに内部時計部１５によって所定の経過時間が計時された場合（住居人が不在の場合）は、インターホン親機１０は、制御部１６によって、切替回路１１の接点他端を呼出検出回路１３に接続し、また、電源供給回路２０による映像線Ｌ２上への電源供給を停止して、通常状態に復帰する。また、それに連動して、インターホン子機５０も、電波時計ユニットＵ１及び撮像ユニットＵ２が内部電源回路５８からの電源供給が停止されて、起動停止して、通常状態に復帰する。
【００２３】
住居人は、不在時に来訪者があったかどうかを確認したい場合は、操作部１４の録画再生ボタン（図示せず）を操作すれば、制御部１６によって、録画ユニット２４に記憶された映像情報が関連付けられた標準日時情報とともに表示部２３に表示されるので、来訪者があったかどうかを正確な日時情報とともに確認できる。
【００２４】
また、操作部１４における各種スイッチ（図示せず）が操作されると、インターホン親機１０は、制御部１６によって、内部時計部１５が計時する日時情報を表示部２３に表示するようになっており、住居人が現在の日時情報を確認することができるようになっている。
【００２５】
この発明に利用されるインターホンシステムは、戸外に配置されたインターホン子機５０に、標準日時情報を受信する電波時計部５４を備えたので、住戸内と比較して電波の受信環境がよく、電波時計部５４が感度よく電波を受信することができる。そして、インターホン子機５０は、電波時計部５４によって受信した標準日時情報を、住戸内に配置されたインターホン親機１０に送出し、インターホン親機１０は、内部時計部１５と、内部時計部１５が計時する日時情報をインターホン子機５０から受信した標準日時情報に自動調整する自動調整手段としての制御部１６とを備えたので、インターホン親機１０は、内部時計部１５が計時する日時情報を標準日時情報に自動調整することができる。
【００２６】
また、インターホン子機５０は、インターホン親機１０との間で映像情報の送受を行う映像線Ｌ２上に電波時計部５４を設け、電波時計部５４によって受信した標準日時情報を映像線Ｌ２を介してインターホン親機１０に送出するので、インターホン親機１０との間で標準日時情報の送受を行うための専用線を配設する必要がない。
【００２７】
また、インターホン子機５０からの呼出信号を受けたときに、インターホン親機１０が映像線Ｌ２上に電源を供給することで、インターホン子機５０は、電波時計部５４に電源が供給され、そのときに、電波時計部５４によって受信した標準日時情報を映像線Ｌ２を介してインターホン親機１０に送出するので、インターホン親機１０とインターホン子機５０との間で標準日時情報の送受を定期的に行うようにしなくても、適度な周期で、インターホン親機１０の日時情報を標準日時情報に自動調整することができ、また、電波時計部５４に常時電源を供給しないので、消費電流を低減することが可能である。
【００２８】
上記実施例において、インターホン親機１０は、インターホン子機５０からの呼出信号を受けたときにのみ、インターホン子機５０から標準日時情報を受信して、内部時計部１５が計時する日時情報を標準日時情報に自動調整するようにしたが、例えば、１日単位などの所定周期毎に、インターホン子機５０の電波時計ユニットＵ１に電源を供給して、それによってインターホン子機５０から送出される標準日時情報を受信して、内部時計部１５が計時する日時情報を標準日時情報に自動調整するようにしてもよい。また、インターホン子機５０の電波時計ユニットＵ１に常時電源を供給して、電波時計ユニットＵ１自身が常時又は定期的に標準日時情報をインターホン親機１０に送出するようにしてもよい。
【００２９】
また、上記実施例においては、戸建向けのインターホンシステムを用いて説明したが、管理室に配置される管理室機、集合玄関に配置される集合玄関機、及び管理室機と集合玄関機とインターホン親機との間での通話制御等を行う通話制御装置とを備えた集合住宅向けのインターホンシステムに適用してもよい。この場合、インターホン親機が、管理室機、集合玄関機、及び通話制御装置に対して、受信した標準日時情報を送出すれば、それら機器によって、内蔵する内部時計部が計時する日時情報を標準日時情報に自動調整することができる。
【００３０】
また、上記実施例においては、インターホン子機５０は、映像線Ｌ２上に電波時計ユニットＵ１を設けるようにしたが、音声線Ｌ１上に設けるようにしてもよい。その場合、インターホン親機１０は、伝送受信部１８を音声線Ｌ１上に設けるようにする。そして、呼出回路５２と呼出検出回路１３、通話回路５３と通話回路１２、電波時計ユニットＵ１と伝送受信部１８、との間で送受される各種信号（情報）を区別可能なように必要なフィルタを設けるようにする。そして、標準日時情報は、例えば、呼出信号に連動して、音声線Ｌ１上に送信されればよい。
【図面の簡単な説明】
【００３１】
【図１】戸建向けインターホンシステムの構成を示すブロック図である。
【符号の説明】
【００３２】
１０  インターホン親機、１１  切替回路、１２  通話回路、１３  呼出検出回路、１４  操作部、１５  内部時計部、１６  制御部、１７  バンドパスフィルタ、１８  伝送受信部、１９  ローパスフィルタ、２０  電源供給回路、２１  ハイパスフィルタ、２２  復調回路、２３  表示部、２４  録画ユニット、５０  インターホン子機、５１  呼出ボタン、５２  呼出回路、５３  通話回路、５４  電波時計部、５５  制御部、５６  伝送送信部、５７  バンドパスフィルタ、５８  内部電源回路、５９  ローパスフィルタ、６０  ＣＣＤセンサ、６１  変調回路、６２  ハイパスフィルタ、Ｕ１  電波時計ユニット、Ｕ２  撮像ユニット、Ｌ１  音声線、Ｌ２  映像線
【図１】
2006287333.tif 000003